(57)【要約】  跳ね返り波の形成を回避することが可能な波消散岸（６）を備える、レジャーまたはスポーツ用途のための水塊（２）において波を発生させるための波発生器システム（１）。岸（６）は、水塊（２）の下の床（３）に向かって減少する高さを有する岸床（７）と、透過性の岸天井（８）と、複数の内部コンパートメント（１７）と、を有し、各コンパートメント（１７）は、水塊（２）に向かう方向における水の通過に対する抵抗を提供し、かつ水塊（２）の方向において水の通過を可能にする水通過空間（２４）を残す、１つ以上の障壁（２２）を含む。岸（６）によって吸収される波は、コンパートメントを通って移動することによってエネルギーを喪失し、重力により水塊（２）へ戻る。
2017535703.tif 000002
【特許請求の範囲】
【請求項１】
ヒトのレジャーまたはスポーツ用途のための波発生器システム（１）であって、前記波発生器システム（１）は、床（３）を備え、縁部（５）を有する水塊（２）が、前記床（３）の上に配置され、前記波発生器システム（１）は、前記水塊（２）の前記縁部（５）に沿って延在する岸（６）をさらに備え、前記岸（６）が、
−  前記水塊（２）の下の前記床（３）に向かって減少する高さを有する岸床（７）であって、前記岸床（７）上の水が、前記水塊（２）に向かって重力によって変位させられるようになっている、岸床（７）と、
−  透過性の岸天井（８）であって、前記岸天井（８）は、前記岸天井（８）の上から前記岸床（７）に向かう水の通過を可能にする、透過性の岸天井（８）と、
−  前記岸床（７）と前記岸天井（８）との間に配設される、複数のコンパートメント（１７）であって、各コンパートメント（１７）が、少なくとも１つの障壁（２２）を備え、前記少なくとも１つの障壁（２２）は、前記水塊（２）に向かう方向への前記水の通過に対する抵抗を提供し、かつ前記水塊（２）に向かう前記水の通過を可能にする水通過空間（２４）を残している、複数のコンパートメント（１７）と、
を備えることを特徴とする、波発生器システム（１）。
【請求項２】
前記コンパートメント（１７）が、横方向壁（１８）によって境界を定められることを特徴とする、請求項１に記載の波発生器システム（１）。
【請求項３】
前記横方向壁（１８）が、前記岸床（７）から前記岸天井（８）まで延在することを特徴とする、請求項２に記載の波発生器システム（１）。
【請求項４】
前記障壁（２２）が、前記岸天井（８）から延在する壁を備え、前記水通過空間（２４）が、前記壁と前記岸床（７）との間に延在することを特徴とする、請求項１に記載の波発生器システム（１）。
【請求項５】
前記コンパートメント（１７）が、横方向壁（１８）によって境界を定められ、前記壁および前記水通過空間（２４）が、前記コンパートメント（１７）の境界を定める前記２つの横方向壁（１８）のうちの一方から他方まで延在することを特徴とする、請求項４に記載の波発生器システム（１）。
【請求項６】
前記岸天井（８）が、前記水塊（２）に向かって傾斜する外部表面（１６）を有することを特徴とする、請求項１に記載の波発生器システム（１）。
【請求項７】
前記岸（８）が、前記岸床（７）の外部縁部（１３）と前記岸天井（８）の外部縁部（１４）との間に延在する、端壁（１２）を備えることを特徴とする、請求項１に記載の波発生器システム（１）。
【請求項８】
前記コンパートメント（１７）が、横方向壁（１８）によって境界を定められ、前記システムが、不透過性層（２７）を備え、前記不透過性層（２７）は、前記横方向壁（１８）の下に配置され、前記コンパートメント（１７）によって境界を定められ、前記不透過性層（２７）が、前記端壁（１２）の下に延在し、この端壁（１２）の後端に固定されることを特徴とする、請求項７に記載の波発生器システム（１）。
【請求項９】
前記不透過性層（２７）が、前記岸天井（８）の前記外部縁部（１３）まで延在することを特徴とする、請求項８に記載の波発生器システム（１）。
【請求項１０】
前記横方向壁（１８）が、三角形であり、１つの側面（１９）が前記岸床（７）に隣接し、第２の側面（２０）が前記岸天井（８）に隣接し、第３の側面（２１）が前記端壁（１２）に隣接することを特徴とする、請求項７に記載の波発生器システム（１）。
【請求項１１】
前記横方向壁（１８）が、少なくとも１つの下部支持隆起（２８）を有することを特徴とする、請求項１に記載の波発生器システム（１）。
【請求項１２】
前記岸天井（８）が、織物材料から作製される上部メッシュを備え、それによって、このメッシュが、前記システムのユーザのための上部表面を提供することを特徴とする、請求項１に記載の波発生器システム（１）。
【発明の詳細な説明】
【技術分野】
【０００１】
本発明は、波発生器システムに関し、具体的には、波エネルギーを吸収すること、および波の跳ね返りを最小化することが可能な消散岸（ｓｈｏｒｅ）が提供される、水環境において波を発生させるためのシステムに関する。
【０００２】
（先行技術）
水環境において波を発生させるためのデバイスおよびシステムの多くの設計は、先行技術において既知であり、これらのデバイスおよびシステムの目的は、ヒトの娯楽のため、およびサーフィン等のスポーツを練習するために、水環境において波を人工的に発生させることである。波発生器システムのある例は、水を通じて（例えば、水の下で、水表面を通じて、およびパドルのように水と接触して、または水の表面に沿って）可動性要素を引きずり、水を押し、波を形成させることに基づいており、連続的な波は、可動性要素を、前方および後方運動において円状に動かすことによって、ならびに／または種々の可動性要素を含むことによって、発生させることができる。波発生器システムの別の例は、水が規定の様式で方向を変更し、波を形成するように、固定されたプロファイルに対して水を放出すること、または水が落下することを可能にすることに基づいている。デバイスのタイプに依存して、波は、比較的静的に、即ち、水環境に沿って進行することなく、または動的に、即ち、海洋波が、例えば、岸に向かって進行するのと同じ方法で、水環境に沿って移動して、発生させることができる。
【０００３】
サーフィンのために具体的に設計された波発生器システムは、他の波発生デバイスと比較してさらなる複雑性を呈する。具体的には、これらのシステムは、非常に精密な特徴および形態を有する波の形成を求める。一方で、波は、高く、かつ好ましくは、より優れた現実感のために動的であるべきである。さらに、波は、比較的高速で動き、可能であれば、砕け、サーファが、彼／彼女のルーチンおよび技術を行うことができるチューブを呈するべきである。サーフィンに好適である波を達成することは、極端に複雑な作業である。無駄ではなかったが、何年もの間、自然の波の正確なコピーである完璧な人工的な波は、存在しないか、または発生させることが不可能であるとさえ考えられてきた。
【０００４】
サーフィンのための動的な波発生器システムにおいて呈される困難のうちの１つは、これらのシステムが、通常、相対的に述べると「無限」である、海と比較して、限定された寸法を有する水環境において動作するという事実から生じる。例えば、これらのシステムの水環境は、可変傾斜を伴って、壁もしくは岸によって囲繞される、湖、池、またはスイミングプールであり得る。別の例において、水環境は、外部および内部に壁もしくは岸を有する、リングの形態であり得る。一般的に、波が水環境の限界に到達し、壁もしくは岸に到達するとき、波は、水環境に向かって全体的または部分的に跳ね返り、波の跳ね返りと呼ばれ得るものを形成する。波の跳ね返りは、次の波と衝突し、それと合流し、波の形態を破壊し得る。代替的に、波の跳ね返りは、システムによって発生した波の後にある水を通って進行し、次の波が通過する前にこの水が沈静化することを阻止し得る（波が完璧な形態を伴って発生することを確実とするためには、通常、不可欠である）。換言すると、要するに、波の跳ね返りは、波の最終形状に悪影響を及ぼし、それをサーフィンにはあまり好適ではないものにする、主な障害であり、システムによって連続的に発生する波間の時間の増加につながり、水が沈静化するためにより多くの時間を可能にし、このため、システムの経済的成果に悪影響を及ぼす。
【０００５】
本発明は、システムによって発生する波に対する、水環境の縁部からの跳ね返り波の悪影響が、低減または最小化される、波発生システムの設計を目指す。
【発明の概要】
【課題を解決するための手段】
【０００６】
前述の目的を満たすために、その上に水塊がある床を備える、レジャーまたはスポーツ用途のための波発生器システムが提唱される。本発明に関連しない特定の機構は、連続的な波を発生させ、そこには、各波と次の波との間の時間差が存在する。例えば、波は、サーフィンに適切な形態、サイズ、および速度を有し得る。波が発生する水塊は、波がそこに向かって進行する縁部を有する。この縁部に沿って、岸が存在する。本発明のように、この岸は、透過性の岸天井と、水塊の下にある床に向かって減少する高さを有する岸床と、いくつかのコンパートメントが画定される、床と天井との間の空間と、を備える。コンパートメントは、天井を通って侵入する水を減速させ、それを水塊に向かって方向付ける。各コンパートメントは、水がそれに対して影響を及ぼす、少なくとも１つの障害物または障壁を備える。障壁は、水が水塊に向かって通過することを可能にするように、空間を残している。加えて、コンパートメントは、好ましくは、岸床から岸天井まで延在する横方向壁によって分離される。
【０００７】
これまでに記載される解決策は、多くの著しい利点を呈する。まず第１に、岸天井が透過性であることから、水は、岸天井の表面全体にほぼ沿って回収され、大量の水が素早く回収されることを可能にすることができる。第２に、水塊に向かって移動する、回収される水に対する障壁が付いているコンパートメントの中に水が回収されるという事実は、水が、それが水塊に向かって落下する際、これらの障壁によって徐々に減速されること、およびほとんどエネルギーを伴わずに、かつ水塊において乱流を発生させることなく、最終的に水塊に到達することを可能にする。同時に、岸床から岸天井まで延在する横方向壁は、水を閉じ込め、そのため、それは、主に、水塊に向かって方向付けられ、水が水塊へ戻されるために要する時間を低減する。これらの利点の全ては、非常に短い時間内に、波を吸収し、消散し、水塊に戻すことができ、波発生器システムが、岸が過剰な寸法を有することを必要とせずに、より少ない間隔で、波を発生させることを可能にするということを意味する。
【０００８】
本発明の追加の利点は、それが、水を波から水塊に戻すために、ポンプまたは他の能動的デバイスの使用を必要とせず、代わりに、水が重力によって戻るということである。したがって、ポンプと関連するエネルギー消費が回避され、代わりに、先行技術の水システムにおいては、ポンピングは、波自体を形成するために必要とされるエネルギー消費の２倍もの多さであり得るエネルギー消費を必要とする。
【０００９】
さらに、本発明による岸の波吸収能力は、岸が、波が水環境から溢れ出すことなく、低減された高さ（従来の非消散岸の高さのおよそ３分の１で推定される）で構築されることを可能にする。したがって、水環境を建築するために必要とされる最大掘削高さはより低く、このため、設置の建築コストを簡略化および低減する。さらに、岸は、より低い高さ、したがって、より低い勾配を有するため、岸は、より開放的であり、実際の海辺の岸のそれと類似している。結果として、ユーザは、彼／彼女が容易にふれあうことができる（例えば、岸に沿って歩く、または岸に座る）、美的に快適な要素として、岸を認識する。
【００１０】
本発明によるシステムの追加の利点は、泡沫が、透過性の岸を通って素早く消失することから、ユーザが波の泡沫によって岸に沿って引きずられるリスクを低減するということである。
【００１１】
したがって、本発明による岸は、波発生器システムの動作における優位な経済的節約を提供するということが理解され得る。それらはまた、前記システムの環境的絵影響を低減することに役立ち、ユーザに対する安全性の増加を提供し、美的に快適であり、かつ使用が容易である。
【図面の簡単な説明】
【００１２】
本発明の詳細は、添付の図面において見ることができ、これらは、本発明の範囲を限定することを意図しない。
【００１３】
【図１】本発明に従う波発生器システムの斜視図を示す。
【図２】岸天井が、岸の内側の空間を示すために部分的に省略されており、空間が、コンパートメントに分割されており、そして、これらはサブコンパートメントに分割されている、前図と同様の図を示す。
【図３】コンパートメントの一部の横方向断面図を示す。
【図４】図１のシステムの横方向断面図を示す。
【発明を実施するための形態】
【００１４】
図１は、本発明の実施形態の実施例による波発生器システム（１）の斜視図を示す。通常、レジャーのため、またはサーフィン等のスポーツを練習するために使用される、波発生器システム（１）は、沈静なとき、床（３）、沈静な水表面（４）、および縁部（５）によって境界を定められる、水塊（２）を備え、前記縁部（５）は、沈静な水表面（４）の縁部である。波発生器システム（１）はまた、水塊（２）の縁部（５）に沿って延在する岸（６）を含む。岸（６）は、完全に水塊の周囲に、水塊の外部周辺の限定された領域に、水塊の任意の端部上に、水塊の内部島に、または任意の他の構成に従って、延在することができ、これは、本発明には関連しない。
【００１５】
本発明によると、岸（６）は、岸床（７）と、岸（６）の外部側面（９）から内部側面（１０）まで延在する岸天井（８）と、を備える。岸床（７）および岸天井（８）は、内部空間（１１）がそれらの間で境界を定められるように配設される。内部空間（１１）は、この実施形態では、岸床（７）の外部縁部（１３）と岸天井（８）の外部縁部（１４）との間に延在する端壁（１２）によって、外部側面（９）上で閉鎖される。重量を支持し、かつ好ましくは、腐食に対して耐性のある材料（例えば、プレキャストコンクリート）から、端壁（１２）を作製することができる。岸床（７）は、水塊（２）の下の床（３）に向かって減少する高さを有しており、岸床（７）上の水が、水塊（２）に向かって重力によって変位させられるようになっている。この実施形態において、岸床（７）は、傾斜した平坦な上部表面（７１）を有する。しかし、岸床（７）が、互い違いの構成、波形の構成、または、上部表面（７１）の高さが水塊（２）の床（３）に向かって減少する任意の他の構成を有する、代替的な実施形態が企図される。そして、岸天井（８）は、透過性であり、水が、岸天井（８）から内部空間（１１）および岸床（７）に向かって通過することを可能にする。
【００１６】
岸床（７）は、岸（６）の重量、および岸（６）上で支持される可能な負荷（ユーザ、水、サーフボード等のスポーツ用品など）に耐えるために、十分な機械的抵抗を有する１つ以上の材料から作製される。例えば、岸床（７）は、土、セメント、コンクリート、セラミック、鋼、アルミニウム、木材、またはこれらの任意の組み合わせから作製され得る。本実施形態において、図４の横方向断面において示されるように、岸床（７）は、セメント等のあまり抵抗を有しない材料から作製される主要部分（７ａ）と、コンクリート等のより大きい抵抗を有する材料から作製されるいくつかの長手方向バンド（７ｂ）と、を備える。岸床（７）が前記部分に分割される理由は、以降で説明する。
【００１７】
そして、水の通過を可能にしつつ、岸（６）にぶつかる波の力に耐えるために十分な機械的抵抗を提供し、および、例えば、表面単位あたりの最大数のユーザに等しい追加の負荷に耐えるために十分な機械的抵抗を提供する、材料または材料の組み合わせから、岸天井（８）は作製される。岸天井（８）は、水が通過することを可能にするように、スロット、穴、もしくは他の空間を有し得るか、または、それは、高度に透過性の材料から作製され得る。例えば、示される実施形態において、岸天井（８）は、穴（１５）が付いている平坦なプレート（８ａ）を使用して作製され、水が通過することを可能にする。平坦なプレート（８ａ）は、ポリエステルを有する繊維ガラスから作製することができ、１〜１０ｃｍの厚さを有することができる。穴（１５）は、２ｃｍの直径を有する円形であり得る。一般的に、岸に到達する水の全てが、岸天井（８）の外部縁部（１４）に到達する前に、コンパートメントに向かって落下することを確実とするように、少なくとも５０％の開口比（穴の総表面と穴を有しない表面との間の比）が好ましい。例えば、２．５センチメートルの辺を有する正方形の穴、および、穴間の２．５センチメートルの分離が、提供され得る。穴、スロット、または空間の形状、寸法、および／または分離は、一般的に変動し得るということが企図される。また、穴は、形状、寸法、および／または分離において、均一であり得るということも企図される。また、穴間の形状、寸法、および／または分離は、不均一であり、かつ岸天井（８）上に可変の方法で分散され得るということも企図される。例えば、いくつかの穴は、他よりも大きくてもよく、交互列などのような特定のパターンを形成する。
【００１８】
加えて、例解される実施形態の平坦なプレート（８ａ）は、水塊（２）に向かって傾斜しており、岸（６）が、略三角形の横方向断面を有するようになっている。岸天井（８）は、水塊（２）に向かって傾斜する外部表面（１６）を有し、これによって、岸天井（８）に到達する波を吸収するために必要とされる岸（６）の幅が低減される。
【００１９】
図１に示されるように、本実施形態の岸天井（８）は、岸（６）の内部縁部（１０）において、岸床（６）と交差し、この交差は、水塊（２）が沈静しているときに水中にある。換言すると、内部縁部（１０）、および、隣接する岸天井（７）の範囲は、水中にある。しかし、この交差が、水表面レベルにあるか、または、水塊（２）の表面の上にあり得る、代替的な実施形態が企図される。
【００２０】
図２は、図１の図と同様のシステム（１）の斜視図を示すが、ここでは、岸天井（８）を構成するプレートのうちのいくつかが、岸（６）の内部空間（１１）を明らかにするために省略されている。岸天井（８）と岸床（７）との間の内部空間（１１）は、横方向壁（１８）によって分離される複数のコンパートメント（１７）に分割される。重量を支持し、かつ好ましくは、腐食に対して耐性のある材料、例えば、プレキャストコンクリートから、横方向壁（１８）を作製することができる。コンパートメント（１７）は、岸床（７）、岸天井（８）、および２つの横方向壁（１８）によって境界を定められ、各コンパートメント（１７）は、岸の外部側面（９）から岸（６）の内部側面（１０）まで延在する空間を成す。本実施形態において、横方向壁（１８）は、三角形であり、第１の側面（１９）は岸床（７）に隣接して、第２の側面（２０）は岸天井（８）に隣接して、第３の側面（２１）は端壁（１２）に隣接して設置されており、各コンパートメント（１７）の高さが水塊（２）に向かって減少するようになっている。本発明によると、コンパートメント（１７）がサブコンパートメント（１７ａ、１７ｂ、１７ｃ、１７ｄ、１７ｅ）に分割されるように、各コンパートメント（１７）は、１つ以上の障害物または障壁（２２）（図面に示される実施形態においては４つ）を含む。重量を支持するには必ずしも好適ではないが、水の通過に抵抗を提供する材料（例えば、プラスチックパネル）から、障壁（２２）が作製され得る。
【００２１】
図３は、本実施形態のコンパートメント（１７）の横方向断面図、より具体的には、例として、サブコンパートメント（１７ｂ）の拡大された横方向断面図を示す。拡大図は、どのように岸床（７）が傾斜し、水平方向との角度（２３）を形成し、それが、床に落下する水が水塊（２）に向かって（図面の位置によると、右に向かって）方向付けられることを可能にするかということをより詳細に示す。図面はまた、どのようにコンパートメント（１７）が、岸床（７）と、岸天井（８）と、２つの横方向壁（１８）との間で境界を定められるか、ならびに、どのようにそれが一連の障壁（２２）を備え、一連の障壁（２２）が、特定の距離だけ分離され、また、コンパートメント（１７）を、描写されるサブコンパートメント（１７ｂ）等のサブコンパートメントに分割しているかということの理解を提供する。さらに、図面は、本発明の追加の態様を例解し、それによって、障壁（２２）は、それらが、水塊（２）に向かう方向において、コンパートメント（１７）の内側の水の通過に対する抵抗を提供するように、配設される。各障壁（２２）の下には、水塊（２）に向かう水の通過のための水通過空間（２４）が存在する。
【００２２】
システム（１）、およびより具体的には、岸（６）は、以下のように動作する。波発生器システム（１）は、通常、特定の頻度で連続的な波を発生させる、即ち、既定の時間が１つの波と次の波との間で経過することを可能にするように構成される。したがって、該システムによって発生する波は、１つずつ岸（６）に到着する。図３は、岸（６）に到達する波（２５）の概略図を示し、波（２５）は破線で描画されている。示されるように、波（２５）は、透過性の岸天井（８）に到達し、コンパートメント（１７）まで岸天井（８）を貫通し（この場合、穴（１５）を通って）、このため、各コンパートメント（１７）は、波（２５）の一部を受け入れる。岸床（７）は、水平方向に対して勾配していることから、各コンパートメント（１７）に進入する水は、いくらかの乱流を伴って、水塊（２）に向かって（図面においては、右に向かって）流動する傾向がある。コンパートメント（１７）を通じて変位させられる間に、水は、障壁（２２）および横方向壁（１８）と衝突し、このため、エネルギーを喪失し、最終的には水通過空間（２４）を通過し、重力に起因して水塊（２）に向かうその下降を継続させる。連続的なサブコンパートメント内の水の、部分的な高さまでの一時的な閉じ込めは、水が、いずれの方向（垂直方向、長手方向、および横方向）においても速度を喪失することを可能にし、これは、例えば、システム（１）が、波（２５）が斜方に、即ち、縁部（５）に対して垂直ではなく（システムの平面図において）、岸に到達し、このため、縁部（５）の長手方向における速度成分、および縁部（５）に対して垂直の別の速度成分を有するように構成される場合、特に好都合である。示される実施形態において、ほとんどエネルギーを伴わずに、したがって、水における乱流を引き起こし、かつ水塊（２）に近付いている次の波の形態を破壊する能力を伴わずに、波が水塊（２）に到達するまで、次のサブコンパートメントに移動する前に、横方向壁（１８）および障壁（２２）との衝突により、各サブコンパートメントの内側で波にエネルギーを喪失させることなどによって、岸（６）は機能する。図３は、例解される矢印（２６）によってこの効果を示し、これは、水が穴（１５）を通ってコンパートメント（１７）に進入したときから、サブコンパートメント（１７ｂ）を通って進行し、障壁（２２）と衝突し、このため、エネルギーを喪失し、最後に、水通過空間（２４）を通って次のサブコンパートメント（１７ｃ）に通過するその行程にある水を表す。水が最後のサブコンパートメント（１７ｄ）に到達するとき、それは、上昇方向において透過性の岸天井（８）を通過し、水塊（２）に到達する。
【００２３】
サブコンパートメントのこのシステムは、ほぼ全体的に、または完全に波（２５）を消散させ、波発生器システム（１）が１つの波と次の波との間待機しなければならない時間を最小化することに成功する。さらに、示されるように、波の消散は、電気エネルギーの消費を必要とするポンプまたは任意の他の能動的要素を伴わずに行われる。加えて、試験では、透過性の岸天井（８）が大きい拡張部を有することを必要とせずに、波（２５）全体を完全に吸収することが可能であるということが示されており、これは、合理的にサイズ決定された岸（６）が適切に作用することができることを意味する。したがって、本明細書において開示される岸システムは、極めて効率的であり、合理的なコストで建築および動作することができる。
【００２４】
図１に示される実施形態において、岸（６）の一部分（より具体的には、内部側面（１０）上の範囲）は、水塊が沈静なとき、前記水塊（２）の内側にある。これは、波（２５）の消散を完了させることに役立つ。その理由は、それが、全波（２５）が岸天井（８）に到達することを確実とするからである。
【００２５】
さらに、示される実施形態において、横方向壁（１８）は、岸床（７）から岸天井（８）まで延在する。換言すると、水は、隣接するコンパートメント（１７）間を、それらを分離する横方向壁（１８）を通って通過することができない。これは、水が、水塊（２）に向かって、より効果的に、かつ素早く方向付けられることを可能にする。しかし、横方向壁（１８）と岸床（７）との間に完全に水密のコンパートメントが存在することは、不可欠ではない。
【００２６】
別の態様において、先に説明されるように、コンパートメント（１７）の高さは、水塊（２）に向かう方向に減少する。結果として、水が水塊（２）に近付くにつれて、それは、岸天井（８）に対するその影響により、エネルギーを喪失し続ける。
【００２７】
さらに、この実施形態において、障壁（２２）は、岸天井（８）から（換言すると、岸天井（８）まで）延在する、連続した途切れない壁として形成される。水通過空間（２４）は、前記壁と岸床（７）との間に延在する。換言すると、描写される実施形態において、障壁（２２）は、上部壁であり、水は、壁を越えて通過しない。結果として、どんなにわずかな水が残っていようとも、それは常に、水通過空間（２４）を通って、次のサブコンパートメントに向かって通過することができるため、コンパートメント（１７）内にほんのわずかな水が残されているとき、水は、依然として水塊（２）に向かって変位させられ得る。換言すると、かかる特性は、岸（６）が、全波（２５）を水塊（２）に戻すことを可能にする。
【００２８】
本実施形態において、図２に示されるように、障壁（２２）を形成する壁は、一方の横方向壁（１８）から他方の横方向壁（１８）まで延在し、コンパートメント（１７）の境界を定める。そして、水通過空間（２４）もまた、前記一方の横方向壁（１８）から他方の横方向壁（１８）まで延在し、コンパートメント（１７）の境界を定める。これは、波エネルギーの消散、および、コンパートメント（１７）から水を除去する能力を最大化する。
【００２９】
図４は、岸（６）の全横方向断面図を示し、全コンパートメント（１７）を視認することを可能にする。この実施形態において、図面に示されるように、岸床（７）は、コンパートメント（１７）の境界を定める不透過性層（２７）を備え、水中での水密性を提供し、それは、波（２５）の特定の量の水が岸床（７）を越えて不必要に喪失または濾過されること（これは、波発生器システム（１）における水のより頻繁な入れ替えを必要とし、かつシステム（１）によって消費される水の量を増加させる）を阻止する。加えて、本実施形態の不透過性層（２７）は、端壁（１２）の下で連続して途切れずに延在し、この端壁（１２）の後面に隣接し、岸床（７）と端壁（１２）との間の結合部における最適な水密性を達成し、このため、水の喪失を最小化する。このため、不透過性層（２７）は、水が水塊（２）に向かって岸（６）の内部側面（１０）のみから除去されることに寄与する、Ｌの形状のレイアウトを有する。さらに、本実施形態において、不透過性層（２７）は、端壁（１３）の全高さにわたって、即ち、端壁（１２）と岸床（７）との間の結合部から岸天井（８）の外部縁部（１３）まで、延在する。したがって、端壁（１２）は、完全に水密であり、これは、本実施形態の場合のように、端壁（１２）が連続的なプレートまたはパネルで構成される場合、特に有益である（端壁（１２）の２つのプレート（１２ａ、１２ｂ）が存在する図２を参照されたい）。
【００３０】
図４は、本実施形態において、横方向壁（１８）が岸床（７）を均一に支持せず、代わりに、横方向壁（１８）が少なくとも１つの下部の突出した支持隆起（２８）を有することをさらに示す。このため、岸床（７）は、全体的にコンクリート等の高抵抗材料から作製される必要がなく、代わりに、岸床（７）の特定の領域のみが、より優れた抵抗を呈しなければならず、より具体的には、下部支持隆起（２８）の下の長手方向のコンクリートストリップ（７ｂ）がより大きい抵抗を呈すれば十分である。支持領域または長手方向のストリップ（７ｂ）は、端壁（１２）の下に位置する岸床領域（７）に含めることができる。全体が高い抵抗を有する岸床（７）を構築する代わりに、特定の領域のみがより大きい抵抗を有することによって、システム（１）の建築コストを著しく低減しつつ、適切な構造的および機械的性能を確実にすることができる。岸床（７）を構築するために必要とされる高抵抗材料の量は、岸床（７）が全体的に高抵抗材料から構築される場合に必要とされる量に対して、７０〜９０％低減され得ることが推定される。
【００３１】
一部の実施形態において、岸天井（８）が、織物材料から作製されるメッシュを備え、このメッシュが、システムのユーザにとって快適な質感を有するステッピング表面を提供するということが企図される。メッシュの例は、ＰＶＣでコーティングされたポリエステルメッシュである。
【００３２】
示される実施形態において、サブコンパートメントは、エネルギーのより大きい消散、および、水塊（２）に向かう水のより速い除去のために、互いに対して９０°で配設される、横方向壁（１８）および障壁（２２）によって分離される、２次元のグリッドまたはメッシュを形成する。サブコンパートメントのサイズに関して、それらは、岸床（７）の傾斜および岸天井（８）の傾斜等の他の変数に依存して変化してもよく、例えば、若干の傾斜のみを有する岸に関しては、サブコンパートメントは、０．５〜１．５ｍの幅および長さを有してもよい。そして、水通過空間（２４）は、概して、２〜２０ｃｍ、好ましくは２〜１０ｃｍの低減された高さを有する。これらの範囲において、波の減速が最適化され（高い壁が好まれる）、波がコンパートメントから水塊へ除去されるのに要する時間が最適化される（大きい水通過空間が好ましい）。
【００３３】
示される実施形態において、各横方向壁（１８）と端壁（１２）との間には空間（２９）が存在し、水パイプ（図示せず）が通過することを可能にする。一般的に、隣接するコンパートメント（１７）間の水の通過は、これらの空間（２９）を通じては可能ではない。
【図１】
2017535703.tif 000003
【図２】
2017535703.tif 000004
【図３】
2017535703.tif 000005
【図４】
2017535703.tif 000006
【国際調査報告】
2017535703.tif 000007
2017535703.tif 000008
2017535703.tif 000009
2017535703.tif 000010